(57)【要約】【課題】簡単な構成で、安価に、プリント基板に装着された外部接続用のジャックの固定を補強したテレビジョンおよび電子機器を提供することを目的とする。【解決手段】プリント基板６に形成されたパターン上の所定位置に、外部接続用のジャック８を半田付けにより装着してなる電子機器１において、ジャック８は、底面８１ａがプリント基板６に当接される本体部８１と、この本体部８１の前面側に位置し、外部からプラグが接続される略円形状のソケット部８２と、本体部８１のソケット部８２とは反対側に位置し、本体部８１から一体的に延設され、プリント基板６に底部８３ａが当接する延設補強部８３とから形成する。【選択図】図３
2007141701.tif 000002
【特許請求の範囲】
【請求項１】
プリント基板に形成されたパターン上の所定位置に、外部接続用のジャックを半田付けにより装着してなるテレビジョンにおいて、
前記ジャックは、底面が前記プリント基板に当接される本体部と、この本体部の前面側に位置し、外部からプラグが接続される略円形状のソケット部と、前記本体部の前記ソケット部とは反対側に位置し、前記本体部から一体的に延設され、前記プリント基板に当接する底部を備えた略三角形状の延設補強部とから形成されたことを特徴とするテレビジョン。
【請求項２】
プリント基板に形成されたパターン上の所定位置に、外部接続用のジャックを半田付けにより装着してなる電子機器において、
前記ジャックは、底面が前記プリント基板に当接される本体部と、この本体部の前面側に位置し、外部からプラグが接続される略円形状のソケット部と、前記本体部の前記ソケット部とは反対側に位置し、前記本体部から一体的に延設され、前記プリント基板に当接する底部を備えた延設補強部とから形成されたことを特徴とする電子機器。
【請求項３】
前記延設補強部は、前記プリント基板に当接する底部を備えた略三角形状に形成されていることを特徴とする請求項２に記載の電子機器。
【請求項４】
前記延設補強部は、前記ジャックの絶縁部を形成する絶縁材を延設することにより、一体的に成型されていることを特徴とする請求項２または請求項３に記載の電子機器。
【請求項５】
前記延設補強部は、前記ジャックの導電部を形成する導電材を延設することにより、一体的に形成されていることを特徴とする請求項２または請求項３に記載の電子機器。
【発明の詳細な説明】
【技術分野】
【０００１】
本発明は、記録再生装置（例えば、ディスクプレーヤ、ビデオテープレコードなど）やテレビジョンなどの電子機器に関し、特にこれら電子機器と外部機器とを接続するための接続コードを連結する外部接続用のジャックの補強構造に関するものである。
【背景技術】
【０００２】
従来から、記録再生装置やテレビジョンなどの電子機器においては、当該電子機器から出力される音声信号、再生信号、或いは当該電子機器に入力される記録信号、操作信号などは、当該電子機器のケースの内部に収納され、所望のパターン（プリント配線）が施されたプリント基板を経由して入出力される。プリント基板には、例えば、電子機器のフロントケース、および／またはリアケースから、その一部が露出するように配置されたピン型のジャックが装着され、このジャックを介して外部に音声信号、再生信号が出力されたり、記録信号、操作信号などが入力されたりする。即ち、このジャックにイヤホン等の先端を差し込み接続して音声を取り出し、或いは、ジャックにコードの端部のピン型のプラグを差し込み接続して他のプレイヤやコンピュータに接続して、記録やデータの転送を行ったりする。
【０００３】
一般に、外部接続用のジャックは、プリント基板に形成されたパターン上の所定位置に、半田付けにより装着されている。そして、上述したジャックへのプラグの接続、即ち、抜き差しは、一般ユーザが行うものであり、特に、フロントケース側に位置するプラグは、例えば、一人でテレビを見る場合や、ゲームなどする場合など、ユーザが抜き差しを頻繁に行う。このプラグの抜き差しに伴って、特に、プリント基板に対して垂直方向に作用する力は、ジャックに大きな押圧力が加わり、ジャックのプリント基板に対する半田付けが剥がれて接続不良を起こしたり、或いはプリント基板を損傷したり、することがあった。
【０００４】
従来、この対策として、例えば、シャーシ上にプリント基板を配設し、このプリント基板上にジャックを配設するとともに、プリント基板のジャックの後方部分に開口を設け、シャーシに切起片を設けて開口よりプリント基板の上方に突出させてジャックの背面に当接するようにしたものがある(例えば、特許文献1参照）。
【０００５】
また、ジャックの背面後方を、上ケースの内壁面に設けたリブで押さえるとともに、プリント基板と、下ケースとの間にリブおよび当てを設けたものがある(例えば、特許文献２参照）。
【０００６】
また、プリント基板に装着されたジャックを、補助基板と、この補助基板に設けられたホルダおよびホルダの爪部で位置決めを行い、ホルダとシャーシとの間にボスを設けたものがある(例えば、特許文献３参照）。
【０００７】
更に、ＡＣインレットの鍔部を、下ケースの壁面および下ケースに設けた複数個のインレット支持部で挟み込み、上ケースで押さえつけるように形成したものがある(例えば、特許文献４参照）。
【特許文献１】実開平１−１７４８８３号公報
【特許文献２】実開平１−６４８８０号公報
【特許文献３】実開平５−２７９８１号公報
【特許文献４】実開平５−７２０７４号公報
【発明の開示】
【発明が解決しようとする課題】
【０００８】
しかし、前述の特許文献１記載の構成では、ジャックとは、別に、切起片が別途必要となるとともに、プリント基板に切起片を挿通するための開口を設ける必要があり、しかも、これらの位置関係を極めて正確に作成しなければその効果が期待できず、作業性が悪いなどといった問題があった。また、特許文献２、特許文献３および特許文献４記載の構成では、ジャックそのものを、上ケースおよび下ケースで挟み込む構成に限られ、テレビジョンのように、通常、フロントケースとリアケースとで構成され、これら両ケースでジャックを上下方向に挟み込まない形式のものでは採用できない他、上ケースおよび下ケースの寸法精度が問題となり、作業性が悪い。更に、特許文献３記載の構成では、ジャックとは、別に、補助基板、ホルダおよびボスなどが別途必要となり、価格の高騰を招来するなどといった問題がる。また、特許文献４記載の構成では、ジャックをプリント基板に装着する構成のものには採用できないなどといった問題があった。
【０００９】
本発明は、上述した問題を解決するためになされたものであり、ジャックとは別に、別部材を用いることなく、しかも、簡単な構成で、安価に、プリント基板に装着された外部接続用のジャックの固定を補強したテレビジョンおよび電子機器を提供することを目的とする。
【課題を解決するための手段】
【００１０】
かかる目的を達成するため、本発明では、プリント基板に形成されたパターン上の所定位置に、外部接続用のジャックを半田付けにより装着してなるテレビジョンにおいて、ジャックは、底面がプリント基板に当接される本体部と、この本体部の前面側に位置し、外部からプラグが接続される略円形状のソケット部と、本体部のソケット部とは反対側に位置し、本体部から一体的に延設され、プリント基板に当接する底部を備えた略三角形状の延設補強部とから形成する。
【００１１】
この構成によれば、当該ジャックに、プラグの抜き差しに伴って、プリント基板に対して垂直方向に作用する大きな押圧力が加わっても、この押し圧力を、本体部の底面および略三角形状の延設補強部の底部により、受け止めることができる。この結果、ジャックのプリント基板に対する半田付けが剥がれることはなく、接続不良は、発生しない。また、プリント基板を損傷することがない。しかも、この構成によれば、従来のようにジャックとは別に、別部材を必要としないので、その構成は、極めて簡単となり、安価なものとなる他、他の部材、例えば、ケースの寸法精度に関係なくジャックの固定を補強することができる。
【００１２】
また、本発明においては、プリント基板に形成されたパターン上の所定位置に、外部接続用のジャックを半田付けにより装着してなる電子機器において、ジャックは、底面が前記プリント基板に当接される本体部と、この本体部の前面側に位置し、外部からプラグが接続される略円形状のソケット部と、本体部のソケット部とは反対側に位置し、本体部から一体的に延設され、プリント基板に当接する底部を備えた延設補強部とから形成する。
【００１３】
この構成によれば、当該ジャックに、プラグの抜き差しに伴って、プリント基板に対して垂直方向に作用する大きな押圧力が加わっても、この押し圧力を、本体部の底面および延設補強部の底部により、受け止めることができる。この結果、ジャックのプリント基板に対する半田付けが剥がれることはなく、接続不良は、発生しない。また、プリント基板を損傷することがない。しかも、この構成によれば、従来のようにジャックとは別に、別部材を必要としないので、その構成は、極めて簡単となり、安価なものとなる他、他の部材、例えば、ケースの寸法精度に関係なくジャックの固定を補強することができる。
【００１４】
また、本発明においては、延設補強部は、プリント基板に当接する底部を備えた略三角形状に形成する。
【００１５】
この構成によれば、延設補強部は、プリント基板に当接する底部を備えた略三角形状であるので、プラグの抜き差しに伴って、プリント基板に対して垂直方向に作用する大きな押圧力に対して、効果的に受け止めることができるので、都合がよい。
【００１６】
また、本発明においては、延設補強部は、ジャックの絶縁部を形成する絶縁材を延設することにより、一体的に成型する。
【００１７】
この構成によれば、ジャックの絶縁部を形成する際に、一体的に成型することができるので、延設補強部を成型するための特別な製作工程を必要としないので、都合がよい。
【００１８】
更に、本発明においては、延設補強部は、ジャックの導電部を形成する導電材を延設することにより、一体的に形成する。
【００１９】
この構成によれば、ジャックの導電部を形成する際に、一体的に形成することができるので、延設補強部を形成するための特別な製作工程を必要としない。更に、延設補強部を構成する導電材は、絶縁材に比べて、一般的に機械的に強靭なため、絶縁材を用いて形成する場合に比べて、延設補強部８３を小さくすることができ、都合がよい。
【発明の効果】
【００２０】
本発明によれば、極めて簡単な構成で、安価に、プリント基板に対するジャックの固定を補強することができる。
【発明を実施するための最良の形態】
【００２１】
（第１実施形態）
以下、本発明の第１実施形態を図１乃至図４に基づいて説明する。図１は、本発明の第１実施形態に係る電子機器の一例であるテレビジョンの概略構成を示す側面断面成図、図２は、図１に示すテレビジョンのフロントケースを背面側から見た斜視図、図３は、プリント基板にジャックを装着した状態を示す要部拡大図、図４は、図３に示すジャックの一部を断面した断面図である。
【００２２】
図１に示すように、このテレビジョン１は、例えば、フロントケース２１と、リアケース２２とからなるケース２内に、外部から受信した映像を表示するＣＲＴ３（Ｃａｔｈｏｄｅ Ｒａｙ Ｔｕｂｅ：陰極線管）、フライバックトランス４および電源ユニット５などを実装したプリント基板６が収納されている。プリント基板６は、例えば、図２に示すように、フロントケース２１の底部に設けられた一対のガイド部材７−７により支持固定されている。このガイド部材７は、断面コ字状のガイド溝７１を有し、互いにガイド溝７１−７１が対向するように配設され、当該ガイド溝７１−７１間に、プリント基板６が挿入され支持固定されている。また、プリント基板６には、例えば、フロントケース２１、およびリアケース２２から、その一部が露出するように配置された外部接続用のピン型のジャック８が装着されている。このジャック８を介して外部に音声信号、再生信号が出力されたり、内部に記録信号、操作信号などを入力したりするように構成されている。
【００２３】
而して、本発明に従い、図３および図４に示すように、ピン型のジャック８は、その底面８１ａが、プリント基板６に当接される本体部８１と、この本体部８１の前面側に略円筒形状のソケット部８２と、このソケット部８２とは反対側に位置し、本体部８１から一体的に延設され、プリント基板６に当接される底部８３ａを備えた略三角形状の延設補強部８３とが形成されている。この実施形態では、本体部８１、ソケット部８２および延設補強部８３は、後述する導電部８４を絶縁する絶縁部８５を形成するプラスッチク樹脂などからなる絶縁材により、成型時に、一体的に形成されている。ジャック８のソケット部８２の外周には、例えば、外部と電気的に接続するための導電部８４としての接地端子Ｅが、同様に、ソケット部８２の挿入孔８２ａ内部には、外部と電気的に接続するための導電部８４としての信号端子Ｐが、それぞれ形成されている。このように形成されたジャック８は、プリント基板６に形成されたパターン上の所定位置に配設され、接地端子Ｅのピン部Ｅ１および信号端子Ｐのピン部Ｐ１が、プリント基板６に形成されたパターンに半田付けされ、電気的接続および機械的固定がなされる。図中９は、半田付け部分を示す。
【００２４】
以上の構成による本実施形態では、プリント基板６に装着されたジャック８は、本体部８１のソケット部８２とは反対側に位置し、本体部８２から一体的に延設され、プリント基板６に底部８３ａが当接する略三角形状の延設補強部８３が形成されている。従って、当該ジャック８に、プラグの抜き差しに伴ってプリント基板６に対して垂直方向に作用する大きな押圧力が加わっても、この押し圧力を、本体部８１の底面８１ａおよび略三角形状の延設補強部８３の底部８３ａにより、受け止めることができる。この結果、ジャック８のプリント基板６に対する半田付けが剥がれることはなく、接続不良は、発生しない。また、プリント基板６を損傷することがない。しかも、この構成によれば、従来のようにジャック８とは別に、別部材を必要としないので、その構成は、極めて簡単となり、安価なものとなる他、他の部材、例えば、ケースの寸法精度に関係なくジャックの固定を補強することができる。
【００２５】
また、延設補強部８３は、プリント基板６に当接する底部８３ａを備えた略三角形状であるので、プラグの抜き差しに伴って、プリント基板６に対して垂直方向に作用する大きな押圧力に対して、効果的に受け止めることができるので、都合がよい。
【００２６】
また、延設補強部８３は、ジャック８の絶縁部８５を形成する絶縁材を延設することにより、一体的に成型しているので、ジャックの絶縁部を形成する際に、一体的に成型することができる。従って、延設補強部８３を成型するために特別な製作工程を必要としないので、都合がよい。
【００２７】
（第２実施形態）
次に、本発明の第２実施形態について図５を参照しながら説明する。図５は、本発明の第２実施形態に係るジャックの断面図である。なお、図５において、上述した図１乃至図４と同じ符号を付した部分は、略同一のものを示すため、ここでは詳細な説明は省略する。以下、上述した実施形態との相違点を中心に説明する。
【００２８】
本実施形態では、図５に示す様に、プリント基板に当接する底部８３ａを備えた略三角形状の延設補強部８３は、ジャック８の導電部８４を形成する、例えば、信号端子Ｐを形成する導電材を延設することにより、本体部８１に一体的に形成したものである。この場合、略三角形状の延設補強部８３の製作に当たっては、例えば、信号端子Ｐを製作する際に、導電材をプレス加工などにより一体的に形成することができる。
【００２９】
以上の構成による本実施形態よれば、上述した実施形態と同様の作用効果を奏する他、延設補強部８３を構成する導電材は、絶縁材に比べて、一般的に機械的に強靭なため、上述した実施形態に比べて、延設補強部８３を小さくすることができ、都合がよい。
【００３０】
なお、上述した実施形態は、本発明の好適な実施例であるが、本発明はこれに限定されるものではなく、本発明の要旨を逸脱しない範囲において、種々変形実施可能である。
【００３１】
例えば、上述の実施形態では、延設補強部８３として、略三角形状としたものについて述べたが、例えば、長方形など他の形状にして、本体部８１に一体的にプリント基板６に当接する底部８３ａを備えた延設補強部８３を形成しても良いのは、勿論である。
【００３２】
また、上述した実施形態では、テレビジョンを例に挙げて説明したが、本発明は、例えば、ディスクプレーヤ、ビデオテープレコードなどの記録再生装置からなる電子機器に対しても適用可能である。
【図面の簡単な説明】
【００３３】
【図１】本発明の第１実施形態に係る電子機器の一例であるテレビジョンの概略構成を示す側面断面成図である。
【図２】図１に示すテレビジョンのフロントケースを背面側から見た斜視図である。
【図３】プリント基板にジャックを装着した状態を示す要部拡大図である。
【図４】図３に示すジャックの一部を断面した断面図である。
【図５】本発明の第２実施形態に係るジャックの断面図である。
【符号の説明】
【００３４】
１      電子機器（テレビジョン）
６      プリント基板
８      ジャック
８１    本体部
８１ａ  底面
８２    ソケット部
８３    延設補強部
８３ａ  底部
【図１】
2007141701.tif 000003
【図２】
2007141701.tif 000004
【図３】
2007141701.tif 000005
【図４】
2007141701.tif 000006
【図５】
2007141701.tif 000007